(57)【要約】【課題】  品物の各種異なる角度面を拭いて清掃することができる回転式はたきを提供する。【解決手段】 清掃布５は材質上、数層の不織布を組み合わせてなり、清掃布５の構造上、下数層の材質の中に網状の静電気不織布５１を挿し入れ、中間の数層は平滑不織布５１２及び熱溶融性噴出構造繊維糸５１１で、更に熱プレス加工をして、数層の不織布を熱プレスで一体とさせることで、清掃布５は多層の不織布材質を具える。更に、清掃布５をはたきの回転板４に装着して円柱状に形成することで、品物の各種異なる角度面を拭いて清掃することができる。【選択図】  図９
2006158866.tif 000002
【特許請求の範囲】
【請求項１】
数層の異なる材質の不織布及び噴出繊維糸を畳み合ってなり、二層の平滑不織布を裏層とし、二層外側に熱プレス加工方式を用いて、それぞれ畳み合わせて一層の静電気不織布に併合し、前記不織布の材質は切断機で縞加工をして、縞網状不織布を形成し、且つ前記四層の縞網状不織布の外側にはそれぞれ畳み合って熱溶融性噴出繊維糸があり、前記熱溶融性噴出繊維糸は熱溶融性繊維糸を噴出させる加工をして噴出糸材質にし、更に畳み合わせて六層の不織布材質及び噴出繊維糸材質を形成し、前記六層の不織布材質及び噴出繊維糸材質の外側にはそれぞれ畳み合って静電気不織布があり、前記静電気不織布は先に網状加工によって網状不織布を形成し、更に切断縞加工して縞網状不織布を形成し、畳み合わせて八層の不織布材質及び噴出繊維糸材質を形成し、前記八層の不織布材質及び噴出繊維糸材質を熱プレス加工して、且つ前記八層の不織布材質及び噴出繊維糸材質を熱プレスして回転する空間を定型して、更に切断機で清掃布の大きさに切り、清掃布が熱プレス加工をした所に収納溝を形成し、前記収納溝は回転板を入れて収納することができ、前記収納溝の一端は円形状或いは分岐状になり、はたきの回転板の先端部を広げさせて清掃布を挟んで固定させて、回転板の外型によって回転することができる全方位の清掃布と、
一端に透孔を設け、もう一端の上縁には数個の凸片を設け、前記柄下方には波状の凹溝を設け、前記柄の前端に彎曲棒体を設け、前記彎曲棒体の両側にはそれぞれ溝部を設け、前記彎曲棒体横側下方にはそれぞれ凸柱を設け、且つその中間の適度な位置に窪みを設け、前記窪みは前記彎曲棒体に両面が対立する接溝面を具えさせる柄と、
円弧形外カバーを具え、前記円弧形外カバー内部には彎曲棒体の流線外型に沿った係止溝を設け、前記係止溝は前記彎曲棒体の体積を収納でき、且つ前記係止溝の両側面上方にはそれぞれ凸骨を設けて、前記係止溝下方両側にはそれぞれ透孔を設け、また、前端は首部に伸び、前記首部前端は平台に伸び、平台面下方は開口部に伸び、前記開口部の内部には突起部を設け、前記平台の前端に回転板を設け、前記平台から前記回転板の前端先端部は回転状になり、その回転角度は９０度から７２０度で、且つ前記回転板の両側には数個のホックを設けている彎曲突起部と、
からなる回転式はたき。
【請求項２】
前記清掃布は、畳み合わせて六層の異なる材質の不織布及び熱溶融性繊維糸になってもよく、前記清掃布の裏層は二層の静電気不織布で、前記二層の外側はそれぞれ畳み合って熱溶融性噴出繊維糸があり、前記熱溶融性噴出繊維糸は熱溶融性繊維糸に噴出させる加工をした噴出糸材質で、その四層の不織布材質を熱プレス加工して、前記不織布材質の表面を網状にさせ、更に前記不織布材質及び熱溶融性繊維糸材質を切断機で縞加工して、縞網状不織布を形成し、四層の縞網状不織布の外側にはそれぞれ畳み合って静電気不織布があり、前記静電気不織布を網状加工をして網状不織布にして、更に縞加工をして縞網状不織布を形成し、畳み合わせて六層の不織布材質及び熱溶融性繊維糸材質を形成し、前記六層の不織布材質及び熱溶融性繊維糸材質を熱プレス加工し、更に前記六層の不織布材質及び熱溶融性繊維糸材質を熱プレスして回転する空間を定型して、切断機で清掃布の大きさに切り、清掃布が熱プレス加工をした所には熱プレス点のある収納溝を形成してなる全方位の清掃布であることを特徴とする請求項１記載の回転式はたき。
【請求項３】
前記回転板の一端は凸柱を設置することができ、前記凸柱中間の適度な位置は差込耳に伸び、且つ前記凸柱と前記差込耳は彎曲突起部の凹溝内部で係合することができることを特徴とする請求項１記載の回転式はたき。
【発明の詳細な説明】
【技術分野】
【０００１】
本発明は、回転式はたきに関し、特に異なる種類の不織布材質及び繊維糸を具え、重ね合わせた後に熱プレス加工をしてより良い塵除け効果を具えた多層の清掃布を形成し、清掃布ははたきの回転板に装着して円柱状を形成し、その円柱状によって清掃布は品物の各種異なる角度面を拭いて清掃することができる回転式はたきに関する。
【背景技術】
【０００２】
公知のはたきは清掃過程中、使用者ははたきの取付け具を特殊な布巾の中に差し入れるだけで、取付け具が設置するホックの造形により、ホックが布巾を挟むことで、各種塵埃の付いた品物を拭くことができ、確かに実用性はあるが、それは布巾とはたきの間の頑丈性及び緊密度において、単にホックがその役割を果たしていたが、その効果は使用者が出す力の操作方法によって相違性があった。それ故、使用者がはたきを振る際、布巾ははたきとの間で緩み易く、またはたきの毛羽ははたきの取付け具の片側のみに設置され、使用者が異なる角度面を清掃する際は、清掃する物の角度によって、はたきの布巾の角度を変えなくてならず、使用者の腕部は長時間の操作でだるくなってしまうという欠点があった。
【発明の開示】
【発明が解決しようとする課題】
【０００３】
本発明の回転式はたきの主な目的は、異なる種類の不織布材質及び繊維糸を具え、重ね合わせた後に熱プレス加工をしてより良い塵除け効果のある多層の清掃布を形成し、清掃布ははたきの回転板に装着して円柱状を形成し、その円柱状によって、清掃布は品物の各種異なる角度面を拭いて清掃することができる回転式はたきを提供することである。
【課題を解決するための手段】
【０００４】
上述の目的を達成するために、本発明は下記の回転式はたきを提供する。
【０００５】
はたきの清掃布は、二層の平滑不織布を裏層とし、二層外側を熱プレス加工して、それぞれ畳み合わせて一層の静電気不織布に併合し、不織布の材質は、切断機で縞加工をして、縞網状不織布を形成し、且つ四層の縞網状不織布の外側にはそれぞれ畳み合って熱溶融性噴出繊維糸があり、熱溶融性噴出繊維糸は熱溶融性繊維糸を噴出させる加工をして噴出糸材質にし、更に畳み合わせて六層の不織布材質及び噴出繊維糸材質を形成し、六層の不織布材質及び噴出繊維糸材質の外側にはそれぞれ畳み合って静電気不織布があり、静電気不織布は先に網状加工によって網状不織布を形成し、更に切断縞加工して縞網状不織布を形成し、畳み合わせて八層の不織布材質及び噴出繊維糸材質を形成し、八層の不織布材質及び噴出繊維糸材質を熱プレス加工して、且つ八層の不織布材質及び噴出繊維糸材質を熱プレスして回転する空間を定型して、更に切断機で清掃布の大きさに切り、且つ清掃布が熱プレス加工をした所に収納溝を形成し、収納溝は回転板を入れて収納することができ、収納溝の一端は円形状或いは分岐状になり、はたきの回転板の先端部を広げさせたり清掃布に挟んで固定させることで、清掃布は回転板の外型によって回転することができ、全方位の清掃布を形成することができる。
【０００６】
また、柄は前端が彎曲棒体に伸び、彎曲棒体の両側にはそれぞれ溝部を設け、横側下方にはそれぞれ凸柱を設け、且つ、彎曲棒体前端には彎曲突起部を設け、彎曲突起部は円弧形外カバーを具え、円弧形外カバー内部には彎曲棒体の流線外型に沿った係止溝を設け、且つ係止溝の両側上方にはそれぞれ凸骨を設けて、その下方両側にはそれぞれ透孔を設け、透孔は彎曲棒体の凸柱と嵌め込み、曲折点を形成して、２つの凸骨と彎曲棒体の溝部は嵌め込み、柄と回転板はしっかりと接合して一体となる。
【０００７】
また、彎曲突起部前端は首部に伸び、首部前端は平台に伸び、平台面下方は開口部に伸び、開口部の内部には突起部を設け、突起部は開口部に挿入して清掃布表面とかみ合う作用を具える。
【０００８】
更に、平台の前端は回転板に伸び、平台から回転板前端の先端部は回転状になり、その回転角度は９０度から７２０度で、且つ回転板の前端面は円形状及び分岐状にすることができる。
【０００９】
また、回転板の一端は凸柱に伸び、凸柱中間の適度な位置に差込耳を設け、彎曲突起部の一端には凹溝を設け、回転板の凸柱と差込耳は彎曲突起部の凹溝で係合でき、回転板と彎曲突起部はしっかりと接合して一体となる。
【発明の効果】
【００１０】
本発明の回転式はたきは、異なる種類の不織布材質及び繊維糸を具え、重ね合わせた後に熱プレス加工をしてより良い塵除け効果のある多層の清掃布を形成し、清掃布がはたきの回転板に装着して円柱状を形成することで、全方位に回転することができ、品物の各種異なる角度面を拭いて清掃することができる。
【発明を実施するための最良の形態】
【００１１】
上述した本発明の目的、特徴、及び長所をいっそう明瞭にするため、以下に本発明の好ましい実施の形態を挙げ、図を参照しながら更に詳しく説明する。
【実施例１】
【００１２】
図１及び図２は、本発明回転式はたきの清掃布５の組立て図及び回転式はたきの清掃布５の加工方法を示した図である。清掃布５は二層の平滑不織布５１２を裏層とし、その二層外側にはそれぞれ畳み合って静電気不織布５１があり、その四層の不織布材質を熱プレス加工して、不織布材質の表面を網状にし、更に不織布材質を切断機を用いて縞加工をして、縞網状不織布を形成し、また四層の縞網状不織布の外側にはそれぞれ畳み合って熱溶融性噴出繊維糸５１１があり、熱溶融性噴出繊維糸５１１は熱溶融性繊維糸を噴出させる加工をして噴出糸材質にし、更に畳み合わせて六層の不織布材質及び噴出繊維糸材質を形成し、六層の不織布材質及び噴出繊維糸材質の外側にはそれぞれ畳み合って静電気不織布５１があり、静電気不織布５１は先に網状加工によって網状不織布を形成し、更に縞加工して縞網状不織布を形成し、更に畳み合わせて八層の不織布材質及び噴出繊維糸材質を形成して熱プレス加工し、また更に八層の不織布材質及び噴出繊維糸材質を熱プレスして回転する空間を定型して、切断機で清掃布５の大きさに切り、且つ清掃布５が熱プレス加工をした所に収納溝５２を形成して、全方位の清掃布５を形成することができる。
【００１３】
図３及び図４は、本発明の回転式はたきの分解立体図及び回転式はたきの断面図である。本発明の回転式はたき８は、柄１と、彎曲棒体２と、彎曲突起部３と、回転板４と、清掃布５とからなり、柄１の一端に透孔１１を設け、もう一端の上縁には数個の凸片１３を設け、柄１を更によい使用点とさせ、柄１下方には波状の凹溝１２を設け、使用者６の手が湿って滑るのを防止し、柄１前端が伸びると彎曲棒体２があり、彎曲棒体２の両側にはそれぞれ溝部２２を設け、その横側下方にはそれぞれ凸柱２３を設け、且つ彎曲棒体２と柄１の接触面中間の適度な位置に窪み２１を設け、窪み２１は彎曲棒体２に両面が対立する接溝面２４を具えさせ、彎曲棒体２前端には彎曲突起部３を設け、彎曲突起部３は円弧形外カバー３１を具え、円弧形外カバー３１内部には彎曲棒体２の流線外型に沿った係止溝３３を設け、係止溝３３は彎曲棒体２の体積を収納でき、且つ係止溝３３の両側面上方にはそれぞれ凸骨３４を設けて、その下方両側にはそれぞれ透孔３２を設け、彎曲棒体２を彎曲突起部３内部の係止溝３３に推し入れ、透孔３２は彎曲棒体２の凸柱２３と係合して、曲折点を形成し、２つの凸骨３４と彎曲棒体２の溝部２２は係合し、柄１と回転板４はしっかりと接合して一体となり、彎曲突起部３前端は首部４１に伸び、首部４１前端は平台４３に伸び、平台面４３１下方は開口部４２に伸び、開口部４２の内縁には突起部４２１を設け、開口部４２と突起部４２１は挿し込み合って清掃布５表面とかみ合う作用を具え、更に、平台４３の前端は回転板４に伸び、回転板４の両側には数個のホック４４を設け、ホック４４は清掃布５を更にしっかりと固定させることができ、また回転板４の先端部４５は分岐状及び円弧状になっており、収納溝５２前端が先端部４５と同じ造型の分岐部５０１及び円弧部５０２を設ける時、回転板４前端の先端部４５はかみ合う力と締める力を更に増すことができ、また回転板４前端には清掃布５を設け、清掃布５の中間位置には中の空いた収納溝５２を設け、収納溝５２は回転板４の外型サイズに合わせて設置され、収納溝５２周囲は熱プレス加工をした熱プレス点５３があり、回転板４が清掃布５に入る際に、収納溝５２を更にしっかりときつく広げて、清掃布５と回転板４の緊密度を増加させることができ、これにより清掃布５は回転板４の外型に沿って回転でき、円柱状の回転式清掃布５を形成することができ、使用者６が清掃布５の一端を開口部４２に引き入れて、突起部４２１を開口部４２に入れると、清掃布５は拭いている際、清掃布５と清掃する品物が引張り落ちるのを防止し、且つ異なる角度の物体を拭くことができる。
【実施例２】
【００１４】
図５及び図６は、本発明のもう一つの回転式はたき９の分解立体図及びもう一つの回転式はたき９の断面図である。本発明の回転式はたき９は、柄９１と、彎曲棒体９２と、彎曲突起部９３と、回転板９４と、清掃布９５とからなり、柄９１の一端に透孔９１１を設け、もう一端の上縁には数個の凸片９１３を設け、柄９１を更によい使用点とさせ、柄９１下方には波状の凹溝９１２を設け、柄９１前端が伸びると彎曲棒体９２があり、彎曲棒体９２の両側にはそれぞれ溝部９２２を設け、その横側下方にはそれぞれ凸柱９２３を設け、且つ彎曲棒体９２と柄９１の接触面中間の適度な位置に窪み９２１を設け、窪み９２１は彎曲棒体９２に両面が対立する接溝面９２４を具えさせ、彎曲棒体９２前端には彎曲突起部９３を設け、彎曲突起部９３は円弧形外カバー９３１を具え、円弧形外カバー９３１内部には彎曲棒体９２の流線外型に沿った係止溝９３３を設け、係止溝９３３は彎曲棒体９２の体積を収納でき、且つ係止溝９３３の両側面上方にはそれぞれ凸骨９３４を設けて、その下方にはそれぞれ透孔９３２を設け、透孔９３２は彎曲棒体９２の凸柱９２３と係合して、曲折点を形成し、更に彎曲棒体９２を彎曲突起部９３内部の係止溝９３３に推し入れ、２つの凸骨９３４と彎曲棒体９２の溝部９２２は係合し、柄９１と彎曲突起部９３はしっかりと接合して一体となり、彎曲突起部９３前縁は凹溝９３５を設け、彎曲突起部９３の前端に回転板９４を設け、回転板４の一端は凸柱９４２２に伸び、凸柱９４２２前端は差込耳９４２３に伸び、凸柱９４２２と差込耳９４２３は彎曲突起部９３の凹溝９３５内部に係合することができ、回転板９４と彎曲突起部９３はしっかりと接合して一体となり、また回転板９４の両側には数個のホック９４４を設け、ホック９４４は清掃布９５を更にしっかりと固定させることができ、また回転板９４の先端部９４５は分岐状及び円弧状になっており、収納溝９５２前端が先端部９４５と同じ造型の分岐部９５０１及び円弧部９５０２を設ける時、回転板９４前端の先端部９４５はかみ合う力と締める力を更に増すことができ、また回転板９４前端には清掃布９５を設け、清掃布９５の中間位置には中の空いた収納溝９５２を設け、収納溝９５２は回転板９４の外型サイズに合わせて設置され、収納溝９５２周囲は熱プレス加工をした熱プレス点９５３があり、回転板９４が清掃布９５に入る際に、収納溝９５２を更にしっかりときつく広げて、清掃布９５と回転板９４の緊密度を増加させることができ、これにより清掃布９５は回転板９４の外型に沿って回転でき、円柱状の回転式清掃布５を形成することができる。
【００１５】
図７及び図８は、本発明の回転式はたき８の円弧状先端部５０２の組立て図及び回転式はたき８の分岐状先端部５０１の組立て図である。清掃布５が回転板４に装着中、清掃布５を回転板４の外型に沿って回転させ、また回転板４の先端部４５は分岐部５０１及び円弧部５０２を具えて、清掃布５を固く挟んで広げることができる。
【００１６】
図９は、本発明の回転式はたき８の組立て図である。清掃布５が回転板４に装着し、清掃布５を回転させて円柱状にさせる。
【００１７】
図１０は、本発明の回転式はたき８の実施例を示す図である。本発明の回転式はたき８は、清掃布５を回転させて円柱状にさせ、使用者６が清掃中、片手で柄を握って振ることができ、回転式はたき８に異なる角度面を拭いて清掃させることができる。
【００１８】
以上本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は特許請求の範囲を基準とする。
【図面の簡単な説明】
【００１９】
【図１】本発明の回転式はたきの清掃布の組立て図である。
【図２】本発明の回転式はたきの清掃布の加工方法を示した図である。
【図３】本発明の回転式はたきの分解立体図である。
【図４】本発明の回転式はたきの断面図である。
【図５】本発明のもう一つの回転式はたきの分解立体図である。
【図６】本発明のもう一つの回転式はたきの断面図である。
【図７】本発明の回転式はたきの円弧状先端部の組立て図である。
【図８】本発明の回転式はたきの分岐状先端部の組立て図である。
【図９】本発明の回転式はたきの組立て図である。
【図１０】本発明の回転式はたきの実施例を示す図である。
【符号の説明】
【００２０】
１        柄
１１      透孔
１２      凹溝
１３      凸片
２        彎曲棒体
２１      窪み
２２      溝部
２３      凸柱
２４      接溝面
３        彎曲突起部
３１      円弧形外カバー
３２      透孔
３３      係止溝
３４      凸骨
３５      凹溝
４        回転板
４１      首部
４２      開口部
４２１    突起部
４２２    凸柱
４２３    差込耳
４３      平台
４３１    平台面
４４      ホック
４５      先端部
５        清掃布
５０１    分岐部
５０２    円弧部
５１      静電気不織布
５１１    熱溶融性噴出構造繊維糸
５１２    平滑不織布
５２      収納溝
５２１    開口部
５３      熱プレス点
６        使用者
７        卓面
８        回転式はたき
９        回転式はたき
９１      柄
９１１    透孔
９１２    凹溝
９１３    凸片
９２      彎曲棒体
９２１    窪み
９２２    溝部
９２３    凸柱
９２４    接溝面
９３      彎曲突起部
９３１    円弧形外カバー
９３２    透孔
９３３    係止溝
９３４    凸骨
９３５    凹溝
９４      回転板
９４２２  凸柱
９４２３  差込耳
９４４    ホック
９５      清掃布
９５０１  分岐部
９５２    収納溝
９５３    熱プレス点
【図１】
2006158866.tif 000003
【図２】
2006158866.tif 000004
【図３】
2006158866.tif 000005
【図４】
2006158866.tif 000006
【図５】
2006158866.tif 000007
【図６】
2006158866.tif 000008
【図７】
2006158866.tif 000009
【図８】
2006158866.tif 000010
【図９】
2006158866.tif 000011
【図１０】
2006158866.tif 000012